(57)【要約】【課題】保険加入者が検査をせずに保険商品の提案を受けることができ、更に、個人の健康意識に対応した保険料の提案に対応し得る、検体検査管理装置、検体検査管理システム、検体検査管理方法、及びプログラムを提供する。【解決手段】検体検査対象者の検体検査キットを用いた検体検査の結果を取得する検査結果取得部（３０Ａ）、検体検査の結果に基づき検体検査対象者の保険加入に関連する健康状態を表す健康度を導出する健康度算出部（３４）、健康度に基づく保険料を算定する保険料算定装置から検体検査対象者の健康度に基づく保険料を含む保険情報を取得する保険情報取得部（３２Ｂ）、保険情報を含む保険提案を作成する保険提案作成部（３４）、及び保険提案を出力する保険提案出力部（３２Ｂ）を備える。【選択図】図３
2019200785.tif 000002
【特許請求の範囲】
【請求項１】
検体検査対象者ごとの検体検査キットを用いた検体検査の結果を取得する検査結果取得部と、
前記検査結果取得部から取得した前記検体検査対象者の検体検査の結果に基づいて、前記検体検査対象者の保険加入に関連する健康状態を表す健康度を導出する健康度算出部と、
健康度に基づく保険料を算定する保険料算定装置から、前記検体検査対象者の健康度に基づく保険料を含む保険情報を取得する保険情報取得部と、
前記保険情報取得部を用いて取得した前記保険情報を含む保険提案を作成する保険提案作成部と、
前記保険提案作成部を用いて作成された保険提案を出力する保険提案出力部と、
を備えた検体検査管理装置。
【請求項２】
前記健康度算出部は、前記健康度として前記検体検査対象者の健康状態を年齢に換算した健康状態年齢から、前記検体検査対象者の現実の年齢を減算した年齢差を算出する請求項１に記載の検体検査管理装置。
【請求項３】
前記検査結果取得部は、少なくとも、グリコヘモグロビン、推算糸球体濾過量、アルブミン、アスパラギン酸アミノトランスフェラーゼ、低比重リポタンパクコレステロール、アルカリホスファターゼ、及び総コレステロールのいずれかを検査項目とする血液検査の結果を取得し、
前記健康度算出部は、少なくとも、前記検査項目のいずれかから前記健康状態年齢を導出する請求項２に記載の検体検査管理装置。
【請求項４】
前記検査結果取得部は、検体検査対象者ごとの検体検査キットを用いた検体検査の結果が記憶される検査結果記憶装置から、前記検体検査対象者の検体検査の結果を取得する請求項１から３のいずれか一項に記載の検体検査管理装置。
【請求項５】
前記検査結果記憶装置を備えた請求項４に記載の検体検査管理装置。
【請求項６】
前記検体検査対象者の本人認証情報を取得する本人認証情報取得部を備え、
前記検査結果記憶装置は、前記本人認証情報取得部を用いて取得した前記検体検査対象者の前記本人認証情報と前記検体検査の結果とを関連付けして記憶する請求項５に記載の検体検査管理装置。
【請求項７】
医療用測定器を用いて測定された前記検体検査対象者の医療測定値を取得する医療測定値取得部を備え、
前記検査結果記憶装置は、前記医療測定値取得部を用いて取得した前記検体検査対象者の前記医療測定値と前記検体検査の結果とを関連付けして記憶する請求項５又は６に記載の検体検査管理装置。
【請求項８】
前記健康度を含む健康度情報を前記保険料算定装置へ出力する健康度情報出力部を備えた請求項１から７のいずれか一項に記載の検体検査管理装置。
【請求項９】
前記保険提案出力部は、前記検体検査対象者が使用する対象者端末装置へ前記保険提案を出力する請求項１から８のいずれか一項に記載の検体検査管理装置。
【請求項１０】
前記検査結果取得部を用いて取得した検査結果を、前記対象者端末装置へ出力する検査結果出力部を備えた請求項９に記載の検体検査管理装置。
【請求項１１】
保険契約の継続手続が可能な保険契約継続手続可能期間中に、保険契約の継続意思を確認する意思確認情報を前記対象者端末装置へ出力する意思確認情報出力部と、
前記対象者端末装置から出力され、前記検体検査対象者の保険契約の継続意思を表す意思情報を取得する意思情報取得部と、
前記意思情報取得部が前記意思情報を取得した場合に、前記意思情報を出力した前記検体検査対象者の前記検体検査キットの送付先を含む送付情報を前記検体検査キットの提供機関へ出力する送付情報出力部と、
を備えた請求項９又は１０に記載の検体検査管理装置。
【請求項１２】
前記送付情報出力部は、保険契約を継続した後の保険の保険料が契約中の保険の保険料以上となる場合に、保険契約の継続を希望する検体検査対象者の前記検体検査キットの送付先を含む送付情報を前記検体検査キットの提供機関へ出力する請求項１１に記載の検体検査管理装置。
【請求項１３】
前記保険情報取得部は、保険契約を継続した後の保険の保険料が契約中の保険の保険料以上となる場合に、保険期間の短縮を含む契約条件が異なる保険の保険料の情報を取得する請求項１１又は１２に記載の検体検査管理装置。
【請求項１４】
ネットワークと接続可能に構成されたサーバ装置を備えた検体検査管理システムであって、
前記サーバ装置は、
検体検査対象者ごとの検体検査キットを用いた検体検査の結果を取得する検査結果取得部と、
前記検査結果取得部から取得した前記検体検査対象者の検体検査の結果に基づいて、前記検体検査対象者の保険加入に関連する健康状態を表す健康度を導出する健康度算出部と、
健康度に基づく保険料を算定する保険料算定装置から、前記検体検査対象者の健康度に基づく保険料の情報を取得する保険情報取得部と、
前記保険情報取得部を用いて取得した前記保険料の情報を含む保険提案を作成する保険提案作成部と、
前記保険提案作成部を用いて作成された保険提案を出力する保険提案出力部と、
を備えた検体検査管理システム。
【請求項１５】
前記ネットワークと接続可能に構成された検査結果記憶装置を備え、
前記検査結果記憶装置は、検体検査対象者ごとの検体検査キットを用いた検体検査の結果が記憶され、
前記検査結果取得部は、前記検査結果記憶装置から、前記検体検査対象者の検体検査の結果を取得する請求項１４に記載の検体検査管理システム。
【請求項１６】
前記ネットワークと接続可能に構成された端末装置であり、前記検体検査対象者が使用する対象者端末装置を備え、
前記対象者端末装置は、前記サーバ装置から出力された情報を表示する表示部を備え、
前記表示部は、前記サーバ装置から出力された前記保険提案を表示する請求項１４又は１５に記載の検体検査管理システム。
【請求項１７】
前記表示部は、保険契約の継続手続が可能な保険契約継続手続可能期間中に、前記サーバ装置から出力された保険契約の継続意思を確認する意思確認情報を表示する請求項１６に記載の検体検査管理システム。
【請求項１８】
前記表示部は、保険契約を継続した後の保険の保険料が、契約中の保険の保険料以上となる場合に、前記サーバ装置から出力された再検査を実施するか否かを選択する選択情報を表示させる請求項１６又は１７に記載の検体検査管理システム。
【請求項１９】
前記表示部は、保険契約を継続した後の保険の保険料が、契約中の保険の保険料以上となる場合に、前記サーバ装置から出力された保険期間の短縮を含む契約条件が異なる保険の保険料の情報を表示する請求項１６から１８のいずれか一項に記載の検体検査管理システム。
【請求項２０】
検体検査対象者ごとの検体検査キットを用いた検体検査の結果を取得する検査結果取得工程と、
前記検査結果取得工程において取得した前記検体検査対象者の検体検査の結果に基づいて、前記検体検査対象者の保険加入に関連する健康状態を表す健康度を導出する健康度算出工程と、
健康度に基づく保険料を算定する保険料算定装置から、前記検体検査対象者の健康度に基づく保険料を含む保険情報を取得する保険情報取得工程と、
前記保険情報取得工程において取得した前記保険料の情報を含む保険提案を作成する保険提案作成工程と、
前記保険提案作成工程において作成された保険提案を出力する保険提案出力工程と、
を含む検体検査管理方法。
【請求項２１】
コンピュータに、
検体検査対象者ごとの検体検査キットを用いた検体検査の結果を取得する検査結果取得機能、
前記検査結果取得機能を用いて取得した前記検体検査対象者の検体検査の結果に基づいて、前記検体検査対象者の保険加入に関連する健康状態を表す健康度を導出する健康度算出機能、
健康度に基づく保険料を算定する保険料算定装置から、前記検体検査対象者の健康度に基づく保険料を含む保険情報を取得する保険情報取得機能、
前記保険情報取得機能を用いて取得した前記保険料の情報を含む保険提案を作成する保険提案作成機能、及び
前記保険提案作成機能を用いて作成された保険提案を出力する保険提案出力機能を実現させるプログラム。
【請求項２２】
検体検査対象者の検体検査の結果及び前記検体検査対象者に関連する情報である検体検査対象者情報の少なくともいずれかに基づいて、前記検体検査対象者の保険加入に関連する健康状態を表す健康度を導出する健康度算出部と、
健康度に基づく保険料を算定する保険料算定装置から、前記検体検査対象者の健康度に基づく保険料を含む保険情報を取得する保険情報取得部と、
前記保険情報取得部を用いて取得した前記保険情報を含む保険提案を作成する保険提案作成部と、
前記保険提案作成部を用いて作成された保険提案を出力する保険提案出力部と、
を備えた検体検査管理装置。
【請求項２３】
前記検体検査対象者情報は、前記検体検査対象者の身体に関する身体情報及び前記検体検査対象者の嗜好に関する嗜好情報の少なくともいずれかが含まれる請求項２２に記載の検体検査管理装置。
【発明の詳細な説明】
【技術分野】
【０００１】
本発明は検体検査管理装置、検体検査管理システム、検体検査管理方法、及びプログラムに係り、特に検体検査の管理に関する。
【背景技術】
【０００２】
技術の進化に伴い、個人ごとの要求に応じたオーダーメイドサービスが増えてきている。オーダーメイドサービスの例として、オーダーメイド医療が挙げられる。例えば、遺伝子検査におけるＳＮＰｓ解析から各人の体質、及び体調等に合わせた投薬管理等が実施される。なお、ＳＮＰｓはsingle nucleotide polymorphismsの省略語である。
【０００３】
保険に関してもＩＴ化が進んでおり、個人に応じたきめ細かい保険商品ラインアップが用意される。例えば、ＢＭＩ値、血圧値、及びＧＯＴ値など血液検査項目値、並びに喫煙の有無等に応じて保険料が設定される保険が登場している。
【０００４】
個人の条件に応じて保険料が設定される保険では、病院等において加入者が検査を行い、検査結果を加入者が自己申告している。なお、ＩＴはInformation Technologyの省略語である。ＢＭＩはBody Mass Indexの省略語である。ＧＯＴはグルタミン酸オキサロ酢酸トランスアミナーゼを表す。
【０００５】
特許文献１は、全がん検査の結果を基に、全がんリスク評価モデルを参照して全がんリスク評価を行い、全がんリスク評価結果を基に保険料を算定する保険システムが記載されている。
【先行技術文献】
【特許文献】
【０００６】
【特許文献１】特開２０１７−１３４４７４号公報
【発明の概要】
【発明が解決しようとする課題】
【０００７】
昨今、健康意識の高まりに起因して、シェイプアップ、及びダイエット等への関心が高まっており、健康維持に積極的な人が増えている。しかしながら、個人の健康意識に対応した保険商品の提案に十分な対応ができていない。また、病院等において保険加入者が検査をせずに保険商品の提案を受けることができていない。
【０００８】
特許文献１に記載の発明は、全がん検査の結果から全がんリスクの評価を行い、全がんリスクの評価結果に基づいて保険料を算定しているものの、個人の健康意識に対応した保険料の提案に対応するものではない。
【０００９】
本発明はこのような事情に鑑みてなされたもので、保険加入者が検査をせずに保険商品の提案を受けることができ、更に、個人の健康意識に対応した保険料の提案に対応し得る、検体検査管理装置、検体検査管理システム、検体検査管理方法、及びプログラムを提供することを目的とする。
【課題を解決するための手段】
【００１０】
上記目的を達成するために、次の発明態様を提供する。
【００１１】
第１態様に係る検体検査管理装置は、検体検査対象者ごとの検体検査キットを用いた検体検査の結果を取得する検査結果取得部と、検査結果取得部から取得した検体検査対象者の検体検査の結果に基づいて、検体検査対象者の保険加入に関連する健康状態を表す健康度を導出する健康度算出部と、健康度に基づく保険料を算定する保険料算定装置から、検体検査対象者の健康度に基づく保険料を含む保険情報を取得する保険情報取得部と、保険情報取得部を用いて取得した保険情報を含む保険提案を作成する保険提案作成部と、保険提案作成部を用いて作成された保険提案を出力する保険提案出力部と、を備えた検体検査管理装置である。
【００１２】
第１態様によれば、検体検査対象者の保険加入に関連する健康状態を表す健康度に基づく保険料を含む保険情報を取得し、保険情報に基づいて保険提案を作成し、提案する。これにより、個人の健康意識に対応した保険料の提案に対応し得る。
【００１３】
検体検査対象者とは、自ら検体検査を申込み、検体検査を受ける者、及び家族等の別人が申し込み、検体検査を受ける者の少なくともいずれかが含まれ得る。
【００１４】
検体は、血液、便、尿、毛髪、及び皮膚等の検体検査キットを用いて採取可能な検体が適用される。検体は、人間の検体を適用してもよいし、人間以外の動物を適用してもよい。
【００１５】
保険は、保険加入者が保険料を支払い、規定の条件を満たす場合に保険会社等から保障金支払い等の保障を受けられる保険契約を意味する。保険の例として、生命保険、医療保険、及び障害保険等が挙げられる。
【００１６】
第１態様に係る検体検査管理装置は、１つ以上のプロセッサと、１つ以上のメモリを備えた検体検査管理装置であって、１つ以上のプロセッサは、検体検査対象者ごとの検体検査キットを用いた検体検査の結果を取得し、検査結果取得部から取得した検体検査対象者の検体検査の結果に基づいて、検体検査対象者の保険加入に関連する健康状態を表す健康度を導出し、健康度に基づく保険料を算定する保険料算定装置から、検体検査対象者の健康度に基づく保険料を含む保険情報を取得し、保険情報取得部を用いて取得した保険情報を含む保険提案を作成し、メモリは、各処理におけるデータを記憶する検体検査管理装置として機能し得る。
【００１７】
第２態様は、第１態様の検体検査管理装置において、健康度算出部は、健康度として検体検査対象者の健康状態を年齢に換算した健康状態年齢から、検体検査対象者の現実の年齢を減算した年齢差を算出する構成としてもよい。
【００１８】
第２態様によれば、健康状態年齢から現実の年齢を減算した年齢差に基づく保険料を算定し得る。
【００１９】
第３態様は、第２態様の検体検査管理装置において、検査結果取得部は、少なくとも、グリコヘモグロビン、推算糸球体濾過量、アルブミン、アスパラギン酸アミノトランスフェラーゼ、低比重リポタンパクコレステロール、アルカリホスファターゼ、及び総コレステロールのいずれかを検査項目とする血液検査の結果を取得し、健康度算出部は、少なくとも、検査項目のいずれかから健康状態年齢を導出する構成としてもよい。
【００２０】
第３態様によれば、血液検査の結果に基づいて導出された健康状態年齢を用いて健康度を導出し得る。
【００２１】
血液検査に適用される血液検査キットの例として、血液を採取する血液採取部材、血液採取部材を用いて採取した血液を分散させる希釈緩衝液が封入された容器、希釈緩衝液に分散させた血液中の血球と血漿とを分離させる分離部材、及び容器に取り付けて、容器を密閉する密閉キャップを備える血液検査キットが挙げられる。
【００２２】
第４態様は、第１態様から第３態様のいずれか一態様の検体検査管理装置において、検査結果取得部は、検体検査対象者ごとの検体検査キットを用いた検体検査の結果が記憶される検査結果記憶装置から、検体検査対象者の検体検査の結果を取得する構成としてもよい。
【００２３】
第４態様によれば、検査結果記憶装置から検体検査対象者の検体検査の結果を取得し得る。
【００２４】
第５態様は、第４態様の検体検査管理装置において、検査結果記憶装置を備えた構成としてもよい。
【００２５】
第５態様によれば、検体検査管理装置に具備される検査結果記憶装置から検体検査対象者の検体検査の結果を取得し得る。
【００２６】
第６態様は、第５態様の検体検査管理装置において、検体検査対象者の本人認証情報を取得する本人認証情報取得部を備え、検査結果記憶装置は、本人認証情報取得部を用いて取得した検体検査対象者の本人認証情報と検体検査の結果とを関連付けして記憶する構成としてもよい。
【００２７】
第６態様によれば、本人認証情報と関連付けされた検体検査の結果は、保険加入、及び保険更新等の保険契約の際に、保険加入を許諾するか否かを判断する契約査定情報としての利用が可能となる。
【００２８】
本人認証情報取得部は、検体検査対象者端末装置から送信された本人認証情報を取得し得る。検体検査対象者端末装置は、撮像装置を用いて検体検査対象者、又は検体検査対象者の身分証明書を撮像して得られた撮像データに基づく検体検査対象者の本人認証情報を送信し得る。
【００２９】
第７態様は、第５態様又は第６態様の検体検査管理装置において、医療用測定器を用いて測定された検体検査対象者の医療測定値を取得する医療測定値取得部を備え、検査結果記憶装置は、医療測定値取得部を用いて取得した検体検査対象者の医療測定値と検体検査の結果とを関連付けして記憶する構成としてもよい。
【００３０】
第７態様によれば、保険更新等の保険契約の際に、医療測定値の情報を利用し得る。
【００３１】
医療用測定器の例として、測定者自身が操作をして血圧等を測定する簡易医療測定器が挙げられる。
【００３２】
第８態様は、第１態様から第７態様のいずれか一態様の検体検査管理装置において、健康度を含む健康度情報を保険料算定装置へ出力する健康度情報出力部を備えた構成としてもよい。
【００３３】
第８態様によれば、保険料算定装置へ健康度情報を出力し得る。
【００３４】
第９態様は、第１態様から第８態様のいずれか一態様の検体検査管理装置において、保険提案出力部は、検体検査対象者が使用する対象者端末装置へ保険提案を出力する構成としてもよい。
【００３５】
第９態様によれば、検体検査対象者は、対象者端末装置を用いて保険提案を認識し得る。
【００３６】
第１０態様は、第９態様の検体検査管理装置において、検査結果取得部を用いて取得した検査結果を、対象者端末装置へ出力する検査結果出力部を備えた構成としてもよい。
【００３７】
第１０態様によれば、検体検査対象者は、対象者端末装置を用いて検査結果を認識し得る。
【００３８】
第１１態様は、第９態様又は第１０態様の検体検査管理装置において、保険契約の継続手続が可能な保険契約継続手続可能期間中に、保険契約の継続意思を確認する意思確認情報を対象者端末装置へ出力する意思確認情報出力部と、対象者端末装置から出力され、検体検査対象者の保険契約の継続意思を表す意思情報を取得する意思情報取得部と、意思情報取得部が意思情報を取得した場合に、意思情報を出力した検体検査対象者の検体検査キットの送付先を含む送付情報を検体検査キットの提供機関へ出力する送付情報出力部と、を備えた構成としてもよい。
【００３９】
第１１態様によれば、対象者端末から保険継続の意思を表す意思情報を取得した場合、検体検査対象者へ検体検査キットを送付し得る。これにより、保険継続の際に検体検査が実施され、保険継続の際の検体検査結果に基づく健康度が導出され、保険継続の際の健康度に基づく保険料の算定が可能となる。
【００４０】
第１２態様は、第１１態様の検体検査管理装置において、送付情報出力部は、保険契約を継続した後の保険の保険料が契約中の保険の保険料以上となる場合に、保険契約の継続を希望する検体検査対象者の検体検査キットの送付先を含む送付情報を検体検査キットの提供機関へ出力する構成としてもよい。
【００４１】
第１２態様によれば、保険契約を継続した後の保険の保険料が契約中の保険の保険料以上となる場合に、検体検査対象者へ検体検査キットを送付し得る。これにより、契約中の保険の保険料以上となる場合に検体検査は実施され、検体検査結果に基づく健康度が導出され、健康度に基づく保険料の算定が可能となる。
【００４２】
第１３態様は、第１１態様又は第１２態様の検体検査管理装置において、保険情報取得部は、保険契約を継続した後の保険の保険料が契約中の保険の保険料以上となる場合に、保険期間の短縮を含む契約条件が異なる保険の保険料の情報を取得する構成としてもよい。
【００４３】
第１３態様によれば、保険契約を継続した後の保険の保険料が契約中の保険の保険料以上となる場合に、保険期間の短縮を含む契約条件が異なる保険の保険料を検体検査対象者へ提案し得る。
【００４４】
第１４態様に係る検体検査管理システムは、ネットワークと接続可能に構成されたサーバ装置を備えた検体検査管理システムであって、サーバ装置は、検体検査対象者ごとの検体検査キットを用いた検体検査の結果を取得する検査結果取得部と、検査結果取得部から取得した検体検査対象者の検体検査の結果に基づいて、検体検査対象者の保険加入に関連する健康状態を表す健康度を導出する健康度算出部と、健康度に基づく保険料を算定する保険料算定装置から、検体検査対象者の健康度に基づく保険料の情報を取得する保険情報取得部と、保険情報取得部を用いて取得した保険料の情報を含む保険提案を作成する保険提案作成部と、保険提案作成部を用いて作成された保険提案を出力する保険提案出力部と、を備えた検体検査管理システムである。
【００４５】
第１４態様によれば、第１態様と同様の効果を得ることができる。
【００４６】
第１４態様において、第２態様から第１３態様で特定した事項と同様の事項を適宜組み合わせることができる。その場合、検体検査管理装置において特定される処理や機能を担う構成要素は、これに対応する処理や機能を担う検体検査管理システムの構成要素として把握することができる。
【００４７】
第１５態様は、第１４態様の検体検査管理システムにおいて、ネットワークと接続可能に構成された検査結果記憶装置を備え、検査結果記憶装置は、検体検査対象者ごとの検体検査キットを用いた検体検査の結果が記憶され、検査結果取得部は、検査結果記憶装置から、検体検査対象者の検体検査の結果を取得する構成としてもよい。
【００４８】
第１５態様によれば、検査結果記憶装置から検体検査対象者の検体検査の結果を取得し得る。
【００４９】
第１６態様は、第１４態様又は第１５態様の検体検査管理システムにおいて、ネットワークと接続可能に構成された端末装置であり、検体検査対象者が使用する対象者端末装置を備え、対象者端末装置は、サーバ装置から出力された情報を表示する表示部を備え、表示部は、サーバ装置から出力された保険提案を表示する構成としてもよい。
【００５０】
第１６態様によれば、対象者端末装置の表示部を用いて、サーバ装置から出力された保険提案を認識し得る。
【００５１】
第１７態様は、第１６態様の検体検査管理システムにおいて、表示部は、保険契約の継続手続が可能な保険契約継続手続可能期間中に、サーバ装置から出力された保険契約の継続意思を確認する意思確認情報を表示する構成としてもよい。
【００５２】
第１７態様によれば、検体検査対象者は、対象者端末装置の表示部を用いて、サーバ装置から出力された意思確認情報を認識し得る。これにより、検体検査対象者は、対象者端末装置を用いてサーバ装置へ、保険を継続するか否かを表す情報を出力し得る。
【００５３】
第１８態様は、第１６態様又は第１７態様の検体検査管理システムにおいて、表示部は、保険契約を継続した後の保険の保険料が、契約中の保険の保険料以上となる場合に、サーバ装置から出力された再検査を実施するか否かを選択する選択情報を表示させる構成としてもよい。
【００５４】
第１８態様によれば、検体検査対象者は、対象者端末装置の表示部を用いて、サーバ装置から出力された選択情報を認識し得る。これにより、検体検査対象者は、対象者端末装置を用いてサーバ装置へ、再検査を実施するか否かを表す情報を出力し得る。
【００５５】
第１９態様は、第１６態様から第１８態様のいずれか一態様の検体検査管理システムにおいて、表示部は、保険契約を継続した後の保険の保険料が、契約中の保険の保険料以上となる場合に、サーバ装置から出力された保険期間の短縮を含む契約条件が異なる保険の保険料の情報を表示する構成としてもよい。
【００５６】
第１９態様によれば、検体検査対象者は、対象者端末装置の表示部を用いて、サーバ装置から出力された保険期間の短縮を含む契約条件が異なる保険の保険料の情報を認識し得る。
【００５７】
第２０態様に係る検体検査管理方法は、検体検査対象者ごとの検体検査キットを用いた検体検査の結果を取得する検査結果取得工程と、検査結果取得工程において取得した検体検査対象者の検体検査の結果に基づいて、検体検査対象者の保険加入に関連する健康状態を表す健康度を導出する健康度算出工程と、健康度に基づく保険料を算定する保険料算定装置から、検体検査対象者の健康度に基づく保険料を含む保険情報を取得する保険情報取得工程と、保険情報取得工程において取得した保険料の情報を含む保険提案を作成する保険提案作成工程と、保険提案作成工程において作成された保険提案を出力する保険提案出力工程と、を含む検体検査管理方法である。
【００５８】
第２０態様によれば、第１態様と同様の効果を得ることができる。
【００５９】
第２０態様において、第２態様から第１３態様、第１５態様から第１９態様で特定した事項と同様の事項を適宜組み合わせることができる。その場合、検体検査管理装置、及び検体検査管理システムにおいて特定される処理や機能を担う構成要素は、これに対応する処理や機能を担う検体検査管理方法の構成要素として把握することができる。
【００６０】
第２１態様に係るプログラムは、コンピュータに、検体検査対象者ごとの検体検査キットを用いた検体検査の結果を取得する検査結果取得機能、検査結果取得機能を用いて取得した検体検査対象者の検体検査の結果に基づいて、検体検査対象者の保険加入に関連する健康状態を表す健康度を導出する健康度算出機能、健康度に基づく保険料を算定する保険料算定装置から、検体検査対象者の健康度に基づく保険料を含む保険情報を取得する保険情報取得機能、保険情報取得機能を用いて取得した保険料の情報を含む保険提案を作成する保険提案作成機能、及び保険提案作成機能を用いて作成された保険提案を出力する保険提案出力機能を実現させるプログラムである。
【００６１】
第２１態様によれば、第１態様と同様の効果を得ることができる。
【００６２】
第２１態様において、第２態様から第１３態様、第１５態様から第１９態様で特定した事項と同様の事項を適宜組み合わせることができる。その場合、検体検査管理装置、検体検査管理システム、及び検体検査管理方法において特定される処理や機能を担う構成要素は、これに対応する処理や機能を担うプログラムの構成要素として把握することができる。
【００６３】
第２２態様に係る検体検査管理装置は、検体検査対象者の検体検査の結果及び検体検査対象者に関連する情報である検体検査対象者情報の少なくともいずれかに基づいて、検体検査対象者の保険加入に関連する健康状態を表す健康度を導出する健康度算出部と、健康度に基づく保険料を算定する保険料算定装置から、検体検査対象者の健康度に基づく保険料を含む保険情報を取得する保険情報取得部と、保険情報取得部を用いて取得した保険情報を含む保険提案を作成する保険提案作成部と、保険提案作成部を用いて作成された保険提案を出力する保険提案出力部と、を備えた検体検査管理装置である。
【００６４】
第２２態様によれば、第１態様と同様の効果を得ることができる。
【００６５】
第２２態様において、第２態様から第１３態様、第１５態様から第１９態様で特定した事項と同様の事項を適宜組み合わせることができる。
【００６６】
第２３態様は、第２２態様の検体検査管理装置において、検体検査対象者情報は、検体検査対象者の身体に関する身体情報及び検体検査対象者の嗜好に関する嗜好情報の少なくともいずれかが含まれる構成としてもよい。
【発明の効果】
【００６７】
本発明によれば、検体検査対象者の保険加入に関連する健康状態を表す健康度に基づく保険料を含む保険情報を取得し、保険情報に基づいて保険提案を作成し、提案する。これにより、個人の健康意識に対応した保険料の提案に対応し得る。
【図面の簡単な説明】
【００６８】
【図１】図１は第一実施形態に係る検体検査管理システムの構成例を示すブロック図である。
【図２】図２は検査管理装置のハードウェアの構成例を示すブロック図である。
【図３】図３は検査管理装置の機能ブロック図である。
【図４】図４は保険管理装置と保険加入者端末との接続例を示すブロック図である。
【図５】図５は第一実施形態に係る検体検査管理方法の手順の流れを示すフローチャートである。
【図６】図６は検体検査管理システムの構成要素間の情報の流れ、及び血液検査キットの流れを示すフローチャートである。
【図７】図７は検査結果画面の一例を示す説明図である。
【図８】図８は保険提案画面の一例を示す説明図である。
【図９】図９は申込完了画面の一例を示す説明図である。
【図１０】図１０はネットワークシステムが適用される検体検査管理システムの構成例を示すブロック図である。
【図１１】図１１は変形例に係る検体検査管理システムの構成例を示すブロック図である。
【図１２】図１２は第二実施形態に係る検体検査管理方法の手順の流れを示すフローチャートである。
【図１３】図１３は第二実施形態に係る検体検査管理方法における検体検査管理システムの構成要素間の情報の流れ、及び血液検査キットの流れを示すフローチャートである。
【図１４】図１４は再検査受付を含む保険提案画面の一例を示す説明図である。
【図１５】図１５は再検査受付完了画面の一例を示す説明図である。
【図１６】図１６は第二実施形態の応用例に係る検体検査管理方法の流れを示すフローチャートである。
【図１７】図１７は保険条件見直選択を含む保険提案画面の一例を示す説明図である。
【図１８】図１８は保険条件見直受付完了画面の一例を示す説明図である。
【図１９】図１９血液検査キットの構成図である。
【発明を実施するための形態】
【００６９】
以下、添付図面に従って本発明の好ましい実施の形態について詳説する。本明細書では、同一の構成要素には同一の参照符号を付して、重複する説明は適宜省略することとする。
【００７０】
［第一実施形態に係る検体検査管理システム］
〔全体構成〕
図１は第一実施形態に係る検体検査管理システムの構成例を示すブロック図である。図１に示した検体検査管理システム１０は、検体検査キットを用いた検体検査を希望する受診者に対して、検査結果を基に保険料を算定し、保険料を含む保険提案を行う。例えば、検体検査管理システム１０は、受診者の検査結果が良好な場合に、どのくらいの保険料の減額が可能であるかを受診者へ提案する。保険料は、検体検査費用が含まれていてもよい。
【００７１】
本実施形態では、生命保険を例に挙げて説明するが、医療保険、及び障害保険など、検体検査結果から把握される保険加入者の健康状態に応じて保険料が決められる保険について、本実施形態を適用可能である。ここでいう保険加入者は、検体検査を受ける受診者と同義である。
【００７２】
図１に示した検体検査管理システム１０は、検査管理装置１２、保険管理装置１４、検査機関端末装置１６、受診者端末装置１８、及び保険管理端末装置２０を備える。検査管理装置１２、保険管理装置１４、及び受診者端末装置１８は、ネットワーク２２を介して通信可能に接続される。
【００７３】
〔検査管理装置〕
検査管理装置１２は、検査機関端末装置１６、及び検査データベース３８と通信可能に接続される。検査管理装置１２は、検査データベース３８を備えてもよい。検査管理装置１２と、検査機関端末装置１６、及び検査データベース３８との接続形態は、有線を用いた接続、又は無線を用いた接続のいずれも可能である。
【００７４】
検査管理装置１２、及び検査データベース３８は、検査機関に配置されてもよいし、検査機関と異なる場所に配置されてもよい。また、検査管理装置１２と検査データベース３８とは、同一の場所に配置されてもよいし、異なる場所に配置されてもよい。異なる場所には、同一の建物内において区画された異なる領域が含まれてもよい。なお、検査管理装置１２は検体検査管理装置の一例に相当する。
【００７５】
検査管理装置１２は、検査情報入力部３０、検査情報出力部３２、検査解析部３４、及び検査計画部３６を備える。検査管理装置１２は、図示しない記憶部を備える。図示しない記憶部は、検査管理装置１２の外部に備えてもよい。
【００７６】
検査情報入力部３０は、ネットワーク２２を介して、保険管理装置１４から送信された保険料等の情報、及び受診者端末装置１８から送信された検体検査の申請等の情報を取得する。また、検査情報入力部３０は、検査機関端末装置１６から送信された検体検査結果等の情報を取得する。
【００７７】
検査情報出力部３２は、ネットワーク２２を介して保険管理装置１４へ保険料の算定依頼等の情報を出力する。検査情報出力部３２は、ネットワーク２２を介して受診者端末装置１８へ検査結果等の情報を出力する。検査情報出力部３２は、検体検査の検査結果、保険に関する保険情報、及び検体検査キットの送付情報を出力する。
【００７８】
本明細書では、データ、情報、データを表す信号、及び情報を表す信号は相互の読み替えが可能である。なお、データを表す信号、及び情報を表す信号は単に信号と記載されることがある。
【００７９】
また、データ、情報、及び信号等に関して、取得、受信、及び入力は、相互に読み替えが可能である。また、データ、情報、及び信号等に関して、送信、及び出力は、相互に読み替えが可能である。
【００８０】
検査解析部３４は、検査機関端末装置１６から送信された検体検査の結果を解析する。検査結果の解析の一例として、検体検査結果に基づく健康度の導出が挙げられる。
【００８１】
検査計画部３６は、検査情報入力部３０を介して取得した検体検査のスケジュールを管理する。検体検査のスケジュールとして、検体検査キットの送付スケジュール、及び検査スケジュールが挙げられる。
【００８２】
検査データベース３８は、受診者と検体検査結果とを関連付けをして、受診者ごとに検体検査結果を記憶する。検査データベース３８は、受診者をインデックスとして、検体検査の検索が可能である。検査データベース３８は、検査結果記憶装置の一例に相当する。
【００８３】
〔検査機関端末装置〕
検査機関端末装置１６は、検査者が使用する端末装置である。ここでいう検査者は、検査機関の従業者を意味する。検査者は、検査結果を入力するオペレータが含まれていてもよい。
【００８４】
検査機関端末装置１６は、パーソナルコンピュータ等のコンピュータ、及びタブレット型端末装置等を適用可能である。コンピュータの一例として、コンピュータ本体、操作部材、及び表示装置を備えるコンピュータが挙げられる。以下に説明する受診者端末装置１８、保険加入者端末装置１９、及び保険管理端末装置２０も同様である。
【００８５】
〔保険管理装置〕
保険管理装置１４は、保険管理情報入力部５０、保険管理情報出力部５２、契約部５４、及び保険料算定部５６を備える。保険管理装置１４は、保険管理端末装置２０、及び保険データベース５８と通信可能に接続される。保険管理装置１４と、保険管理端末装置２０、及び保険データベース５８との接続形態は、有線を用いた接続、又は無線を用いた接続のいずれも可能である。
【００８６】
保険管理装置１４の配置は、検査管理装置１２と同様である。また、保険データベース５８の配置は、検査データベース３８と同様である。ここでは、保険管理装置１４、及び保険データベース５８の配置の説明は省略する。
【００８７】
保険管理情報入力部５０は、ネットワーク２２を介して検査管理装置１２から送信された保険料算定依頼等の情報を取得する。保険管理情報入力部５０は、取得した情報を図示しない記憶部へ記憶する。
【００８８】
保険管理情報出力部５２は、ネットワーク２２を介して、検査管理装置１２へ送信される保険料算定依頼に対応する保険料を含む保険情報等の各種情報を出力する。
【００８９】
契約部５４は、保険契約に関する情報を管理する。契約部５４は、保険契約ごとの契約条件等の情報を保険データベース５８へ記憶する。契約部５４は、保険データベース５８を参照して、保険加入者ごとの契約条件等の情報を読み出す。
【００９０】
保険料算定部５６は保険料算定依頼に基づいて保険料を算定する。また、保険料算定部５６は、保険契約ごとの保険料等の情報を保険データベース５８へ記憶する。保険料算定部５６は健康度と保険料との関係が規定された保険データベース５８を参照して、健康度に基づく保険料を算定し得る。
【００９１】
保険データベース５８は、保険契約ごとの情報を保険契約ごとに記憶する。保険データベース５８は、保険契約者をインデックスとして、保険契約者ごとに保険契約を検索可能に構成されている。また、保険データベース５８は、保険契約をインデックスとして、保険契約ごとに契約条件を検索可能に構成されている。
【００９２】
保険データベース５８は、健康度と保険料との関係が記憶される。保険データベース５８は、保険加入者の身長、体重、及びＢＭＩ等の身体情報を考慮して規定された健康度と保険料との関係を記憶してもよい。保険データベース５８は、保険加入者の喫煙有無、及び飲酒有無等の嗜好情報を考慮して規定された健康度と保険料との関係を記憶してもよい。
【００９３】
例えば、ＢＭＩ値が基準値を超える場合は保険料を増額してもよい。また、喫煙をする者、及び飲酒をするものは保険料を増額してもよい。健康度と保険料との関係は、保険管理装置１４の外部に配置されるデータベースに記憶されてもよい。なお、保険管理装置１４は、保険料算定装置の一例に相当する。
【００９４】
〔保険管理端末〕
保険管理端末装置２０は、保険管理者が使用する端末装置である。保険管理者の例として、保険会社の従業者等が挙げられる。
【００９５】
〔受信者端末装置〕
受診者端末装置１８は、検体検査を受ける受診者が使用する端末装置である。受診者端末装置１８は図示しない表示装置を備えている。表示装置は、受診者端末装置１８が取得した各種情報を表示し得る。なお、検体検査を受ける受診者は、検体検査対象者の一例に相当する。受診者端末装置１８は、対象者端末装置の一例に相当する。
【００９６】
〔ネットワーク〕
ネットワーク２２は、公衆通信回線網を適用してもよいし、専用回線網を適用してもよい。ネットワーク２２は、標準化された規格を適用してもよいし、専用規格を適用してもよい。
【００９７】
〔検査管理装置のハードウェア構成〕
図２は検査管理装置のハードウェアの構成例を示すブロック図である。検査管理装置１２は、図２に示したハードウェアを用いてプログラムを実行して、上記した検査管理装置１２の各部の機能を実現し得る。
【００９８】
検査管理装置１２は、制御部４０、メモリ４２、ストレージ装置４４、ネットワークコントローラ４６、及び電源装置４８を備える。制御部４０、メモリ４２、ストレージ装置４４、及びネットワークコントローラ４６は、バス４９を介してデータ通信が可能に接続される。
【００９９】
〈制御部〉
制御部４０は、検査管理装置１２の全体制御部、各種演算部、及び記憶制御部として機能する。制御部４０は、メモリ４２に具備されるＲＯＭ（read only memory）に記憶されているプログラムを実行する。
【０１００】
制御部４０は、ネットワークコントローラ４６を介して、外部の記憶装置からプログラムをダウンロードし、ダウンロードしたプログラムを実行する。外部の記憶装置は、ネットワーク２２を介して検査管理装置１２と通信可能に接続されていてもよい。
【０１０１】
制御部４０は、メモリ４２に具備されるＲＡＭ（random access memory）を演算領域とし、各種プログラムと協働して、各種処理を実行する。これにより、検査管理装置１２の各種機能が実現される。
【０１０２】
制御部４０は、ストレージ装置４４からのデータの読み出し、及びストレージ装置４４へのデータの書き込みを制御する。制御部４０は、ネットワークコントローラ４６を介して、外部の記憶装置から各種データを取得してもよい。制御部４０は、取得した各種データを用いて、演算等の各種処理を実行可能である。
【０１０３】
制御部４０は、１つ又は２つ以上のプロセッサ（processor）が含まれてもよい。プロセッサの一例として、ＦＰＧＡ（Field Programmable Gate Array）、及びＰＬＤ（Programmable Logic Device）等が挙げられる。ＦＰＧＡ、及びＰＬＤは、製造後に回路構成の変更を可能とする。
【０１０４】
プロセッサの他の例として、ＡＳＩＣ（Application Specific Integrated Circuit）が挙げられる。ＡＳＩＣは、特定の処理を実行させるために専用に設計された回路構成を備える。
【０１０５】
制御部４０は、同じ種類の２以上のプロセッサを適用可能である。例えば、制御部４０は２つ以上のＦＰＧＡを用いてもよいし、２つのＰＬＤを用いてもよい。制御部４０は、異なる種類の２つ以上プロセッサを適用してもよい。例えば、制御部４０は１つ以上のＦＰＧＡと１つ以上のＡＳＩＣとを適用してもよい。
【０１０６】
複数の制御部４０を備える場合、複数の制御部４０は１つのプロセッサを用いて構成してもよい。複数の制御部４０を１つのプロセッサで構成する一例として、１つ以上のＣＰＵ（Central Processing Unit）とソフトウェアとの組合せを用いて１つのプロセッサを構成し、このプロセッサが複数の制御部４０として機能する形態がある。ＣＰＵに代わり、又はＣＰＵと併用して、画像処理に特化したプロセッサであるＧＰＵ（Graphics Processing Unit）を適用してもよい。なお、ここでいうソフトウェアはプログラムと同義である。複数の制御部４０が１つのプロセッサを用いて構成される代表例として、クライアント装置、及びサーバ装置等のコンピュータが挙げられる。
【０１０７】
複数の制御部４０を１つのプロセッサで構成する他の例として、複数の制御部４０を含むシステム全体の機能を１つのＩＣチップで実現するプロセッサを使用する形態が挙げられる。複数の制御部４０を含むシステム全体の機能を１つのＩＣチップで実現するプロセッサの代表例として、ＳｏＣ（System On Chip）が挙げられる。なお、ＩＣは、Integrated Circuitの省略語である。
【０１０８】
このように、制御部４０は、ハードウェア的な構造として、各種のプロセッサを１つ以上用いて構成される。
【０１０９】
〈メモリ〉
メモリ４２は、図示しないＲＯＭ、及び図示しないＲＡＭを備える。ＲＯＭは、検査管理装置１２において実行される各種プログラムを記憶する。ＲＯＭは、各種プログラムの実行に用いられるパラメータ、及びファイル等を記憶する。ＲＡＭは、データの一時記憶領域、及び制御部４０のワーク領域等として機能する。
【０１１０】
〈ストレージ装置〉
ストレージ装置４４は、各種データを非一時的に記憶する。ストレージ装置４４は、検査管理装置１２の外部に外付けされてもよい。ストレージ装置４４に代わり、又はこれと併用して、大容量の半導体メモリ装置を適用してもよい。
【０１１１】
〈ネットワークコントローラ〉
ネットワークコントローラ４６は、図１に示した保険管理装置１４、受診者端末装置１８、及び検査機関端末装置１６などの外部装置との間のデータ通信を制御する。データ通信の制御は、データ通信のトラフィックの管理が含まれてもよい。
【０１１２】
〈電源装置〉
電源装置４８は、ＵＰＳ(Uninterruptible Power Supply)などの大容量型の電源装置が適用される。電源装置４８は停電等に起因して商用電源が遮断された際に、検査管理装置１２へ電源を供給する。なお、図２に示した検査管理装置１２のハードウェア構成は一例であり、適宜、追加、削除、及び変更が可能である。
【０１１３】
〔検査管理装置の機能〕
図３は検査管理装置の機能ブロック図である。図３に示した検査管理装置１２は、検査情報入力部３０、検査情報出力部３２、検査解析部３４、及び検査計画部３６を備える。以下、各部の詳細を説明する。
【０１１４】
〈検査情報取得部〉
検査情報入力部３０は、検査結果入力部３０Ａ、保険情報入力部３０Ｂ、及び検査受付情報入力部３０Ｃを備える。検査情報入力部３０は、各種情報を取得する各種情報取得部を備えてもよい。各種情報取得部の図示は省略する。
【０１１５】
検査結果入力部３０Ａ、保険情報入力部３０Ｂ、及び検査受付情報入力部３０Ｃは、個別のハードウェアを適用してもよいし、共通のハードウェアを適用してもよい。検査情報入力部３０のハードウェアの構成例として、信号入力素子、及び信号変換素子等を備える構成が挙げられる。
【０１１６】
検査結果入力部３０Ａは、図１に示した検査データベース３８から受診者ごとの検査結果を検索し、受診者ごとの検査結果を取得する。検査結果入力部３０Ａは、取得した検査結果を検査解析部３４へ送信する。検査結果入力部３０Ａは検査結果取得部の一例に相当する。
【０１１７】
保険情報入力部３０Ｂは、保険管理装置１４から送信された保険情報を取得する。保険情報入力部３０Ｂは、取得した保険情報を検査解析部３４へ送信する。保険情報入力部３０Ｂは保険情報取得部の一例に相当する。
【０１１８】
検査受付情報入力部３０Ｃは、検査受付情報を取得する。検査受付情報入力部３０Ｃは、取得した検査受付情報を検査計画部３６へ送信する。
【０１１９】
〈検査情報出力部〉
検査情報出力部３２は、検査結果出力部３２Ａ、保険情報出力部３２Ｂ、送付情報出力部３２Ｃ、及び健康度情報出力部３２Ｄを備える。検査情報出力部３２は、各種情報を出力する各種情報出力部を備えてもよい。各種情報出力部の図示は省略する。
【０１２０】
検査情報出力部３２は、検査結果出力部３２Ａ、保険情報出力部３２Ｂ、送付情報出力部３２Ｃ、及び健康度情報出力部３２Ｄは、個別のハードウェアを適用してもよいし、共通のハードウェアを適用してもよい。検査情報出力部３２のハードウェアの構成例として、信号出力素子、及び信号変換素子等を備える構成が挙げられる。
【０１２１】
検査結果出力部３２Ａは、受診者端末装置１８へ検査結果を送信する。保険情報出力部３２Ｂは、受診者端末装置１８へ保険情報を送信する。
【０１２２】
送付情報出力部３２Ｃは、検査計画部３６から送信される検体検査キットの送付指示に基づいて、検体検査キットの送付情報を検体検査キットの送付元へ送信する。検体検査キットの送付元は、検査機関の検体検査キット送付部、及び検査機関の外部の検体検査キット送付機関等の検体検査キットの提供機関を適用可能である。健康度情報出力部３２Ｄは、健康度を含む健康度情報を保険管理装置１４へ送信する。
【０１２３】
検査解析部３４は、検査結果出力部３２Ａを用いて取得した検体検査結果を解析して、受診者の健康度を導出する。健康度は、受診者の保険加入に関連する健康状態を表す指標である。健康度の例として、受診者の健康状態年齢から受診者の現実の年齢である実年齢を減算した年齢差が挙げられる。
【０１２４】
受診者の健康状態年齢は、受診者の健康状態を年齢に換算したものである。受診者の健康状態年齢は、受診者の検体検査の結果に基づいて導出される。受診者の健康状態年齢は、受診者の血液検査の結果から導出可能である。ＨｂＡ１ｃ、ｅ−ＦＧＲ、ＡＬＢ、ＡＳＴ、ＬＤＬコレステロール、ＡＬＰ、及び総コレステロールは、年齢に応じて異なる傾向がある。これらの検査項目値から受診者の健康状態年齢を導出することが可能である。
【０１２５】
例えば、これらの検査項目値から受診者の健康状態年齢を導出する際に、上記した血液検査項目値と年齢との関係を定めたルックアップテーブルを参照してもよいし、上記した血液検査項目値と年齢との関係を定めた関数を用いてもよい。
【０１２６】
ＨｂＡ１ｃはグリコヘモグロビンを表す。ｅ−ＧＦＲは推算糸球体濾過量を表す。ＡＬＢはアルブミンを表す。ＡＳＴはアスパラギン酸アミノトランスフェラーゼを表す。ＬＤＬは低比重リポタンパクを表すlow density lipoproteinの省略語である。ＡＬＰはアルカリホスファターゼを表す。
【０１２７】
ＨｂＡ１ｃ、及びｅ−ＦＧＲは男女を問わず適用可能である。ＡＬＢは男性に適用可能である。ＡＳＴ、ＬＤＬコレステロール、ＡＬＰ、及び総コレステロールは女性に適用可能である。ＬＤＬコレステロールは低比重リポタンパクコレステロールに相当する。検査解析部３４は、健康度算出部の一例に相当する。
【０１２８】
検査計画部３６は、検査解析部３４と連携して検体検査のスケジュールを管理する。検査計画部３６は、検体検査のスケジュールに遅延が発生した場合、検査情報出力部３２を用いて警告を送信してもよい。
【０１２９】
〔検査管理装置と保険加入者端末との接続例〕
図４は保険管理装置と保険加入者端末との接続例を示すブロック図である。図４に示した保険管理装置１４は、ネットワーク２２を介して保険加入者端末装置１９と接続可能に構成される。
【０１３０】
保険加入者端末装置１９は、ネットワーク２２を介して保険管理装置１４へアクセスして、保険データベース５８に記憶される保険加入者の情報を検索し、保険加入者の情報を取得し得る。
【０１３１】
［第一実施形態に係る検体検査管理方法の手順］
図５は第一実施形態に係る検体検査管理方法の手順の流れを示すフローチャートである。検査受付工程Ｓ１０では、図３に示した検査受付情報入力部３０Ｃは、受診者端末装置１８から送信された検査受付情報を取得する。検査受付工程Ｓ１０では、検査計画部３６は、検査受付情報に基づいて、受診者を登録する。検査受付工程Ｓ１０では、検査計画部３６は、検査条件を受診者と関連付けして記憶する。
【０１３２】
検査条件は、検査の種類、検査の回数、及び検査の頻度等が挙げられる。検査受付工程Ｓ１０では、検査計画部３６は、検査受付情報入力部３０Ｃを介して、受診者の身長、体重、ＢＭＩ、喫煙の有無、及び飲酒の有無等の受診者に関する受診者情報を取得してもよい。検査受付工程Ｓ１０の後に、検査結果取得工程Ｓ１２へ進む。
【０１３３】
検査結果取得工程Ｓ１２では、検査結果入力部３０Ａは、検査機関端末装置１６から送信された検査結果を取得する。検査結果取得工程Ｓ１２は、保険提案送信工程Ｓ２４の直前、又は保険提案送信工程Ｓ２４の直後に実行してもよい。検査結果は、検査データベース３８へ記憶される。検査結果取得工程Ｓ１２の後に、結果送信工程Ｓ１４へ進む。
【０１３４】
結果送信工程Ｓ１４では、検査結果出力部３２Ａは、受診者端末装置１８へ検査結果を送信する。結果送信工程Ｓ１４の後に、結果解析工程Ｓ１６へ進む。
【０１３５】
結果解析工程Ｓ１６では、検査解析部３４は、検査結果に基づいて健康度を導出する。導出された健康度は、検査結果と関連付けされて検査データベース３８へ記憶される。結果解析工程Ｓ１６の後に、保険料算定依頼送信工程Ｓ１８へ進む。結果解析工程Ｓ１６は健康度算出工程の一例に相当する。
【０１３６】
保険料算定依頼送信工程Ｓ１８では、保険情報出力部３２Ｂは、保険管理装置１４へ保険料算定依頼を送信する。保険料算定依頼は、受診者情報、及び受診者の健康度が含まれる。保険料算定依頼送信工程Ｓ１８の後に、保険料算定結果取得工程Ｓ２０へ進む。
【０１３７】
保険料算定結果取得工程Ｓ２０では、保険情報入力部３０Ｂは、保険管理装置１４から送信された保険料算定結果を取得する。保険料算定結果取得工程Ｓ２０の後に、保険提案作成工程Ｓ２２へ進む。保険料算定結果取得工程Ｓ２０は、検体検査対象者の健康度に基づく保険料を含む保険情報を取得する保険情報取得工程の一例に相当する。
【０１３８】
保険提案作成工程Ｓ２２では、検査解析部３４は保険料算定結果に基づいて、保険提案を作成する。保険提案作成工程Ｓ２２の後に、保険提案送信工程Ｓ２４へ進む。検査解析部３４は、保険提案を作成する保険提案作成部の一例に相当する。
【０１３９】
保険提案送信工程Ｓ２４では、保険情報出力部３２Ｂは、受診者端末装置１８へ保険提案を送信する。保険提案送信工程Ｓ２４の後に、保険申込判定工程Ｓ２６へ進む。保険情報出力部３２Ｂは、保険提案を出力する保険提案出力部の一例に相当する。保険提案送信工程Ｓ２４は、保険提案を出力する保険提案出力工程の一例に相当する。
【０１４０】
保険申込判定工程Ｓ２６では、検査計画部３６は、受診者端末装置１８から送信された保険申込を取得したか否かを判定する。保険申込判定工程Ｓ２６において、検査計画部３６が保険申込を取得しない場合はＮｏ判定となる。Ｎｏ判定の場合、検査管理装置１２は検体検査管理方法を終了する。
【０１４１】
一方、保険申込判定工程Ｓ２６において、検査計画部３６が保険申込を取得した場合はＹｅｓ判定となる。Ｙｅｓ判定の場合、保険申込受付工程Ｓ２８へ進む。
【０１４２】
保険申込受付工程Ｓ２８では、検査解析部３４は、受診者端末装置１８から送信された保険申込を受け付ける。保険申込受付工程Ｓ２８では、検査解析部３４は、保険情報出力部３２Ｂを介して、保険管理装置１４へ保険申込を送信する。保険申込受付工程Ｓ２８の後に、完了連絡送信工程Ｓ３０へ進む。
【０１４３】
完了連絡送信工程Ｓ３０では、検査計画部３６は、保険申込が保険管理装置１４へ送信されたことを表す完了連絡を、受診者端末装置１８へ送信する。完了連絡送信工程Ｓ３０の後に、検査管理装置１２は検体検査管理方法を終了する。
【０１４４】
図６は検体検査管理システムの構成要素間の情報の流れ、及び血液検査キットの流れを示すフローチャートである。検査申込工程Ｓ１００では、受診者端末装置１８から検査管理装置１２へ検査申込が送信される。
【０１４５】
検査受付工程Ｓ１０２では、検査管理装置１２は受診者端末装置１８から送信された検査申込を受け付ける。検査受付工程Ｓ１０２は図５に示した検査受付工程Ｓ１０に相当する。
【０１４６】
登録工程Ｓ１０４では、検査管理装置１２は受診者に関する情報を記憶する。登録工程Ｓ１０４では、検査管理装置１２は受診者に対して受診者ごとの識別番号を付与してもよい。
【０１４７】
キット送付工程Ｓ１０６では、検査管理装置１２は検体検査キットの送付情報に基づいて、規定の送付先への検体検査キットの送付を検査機関へ依頼する。検査機関は規定の送付先へ検体検査キットを送付する。検体検査キットの送付は、検査機関の依頼を受けた配送業者が実施してもよい。
【０１４８】
キット受取工程Ｓ１０８では、受診者は検体検査キットを取得する。受診者は、自宅、薬局、薬局以外の商店、配送業者の営業所、及び郵便局等において検体検査キットを取得し得る。
【０１４９】
検体採取工程Ｓ１１０では、受診者等は検体検査キットを用いて、受診者の検体を採取する。検体送付工程Ｓ１１２では、受診者等は採取した検体を検査機関へ送付する。
【０１５０】
検査工程Ｓ１１４では、検査機関は受診者から送付された検体の検査を実施する。検査機関端末装置１６は、検査管理装置１２へ検査結果を送信する。検査管理装置１２は、検査機関端末装置１６から送信された検査結果を受信する。検査管理装置１２が検査結果を受信する工程は、図５に示した検査結果取得工程Ｓ１２に相当する。
【０１５１】
結果送信工程Ｓ１１６では、検査管理装置１２は受診者端末装置１８へ検査結果を送信する。結果送信工程Ｓ１１６は、図５に示した結果送信工程Ｓ１４に相当する。検査結果受信工程Ｓ１１８では、受診者端末装置１８は検査結果を受信する。結果解析工程Ｓ１２０では、検査管理装置１２は検査結果を解析して、受診者の健康度を導出する。結果解析工程Ｓ１２０は、図５に示した結果解析工程Ｓ１６に相当する。
【０１５２】
保険料算定依頼送信工程Ｓ１２２では、検査管理装置１２は保険管理装置１４へ保険料算定依頼を送信する。保険料算定依頼送信工程Ｓ１２２は、図５に示した保険料算定依頼送信工程Ｓ１８に相当する。
【０１５３】
保険料算定依頼受信工程Ｓ１２４では、保険管理装置１４は検査管理装置１２から送信された保険料算定依頼を受信する。保険料算定工程Ｓ１２６では、保険管理装置１４は受診者の健康度に基づいて保険料を算定する。保険料の算定では、健康度と保険料との関係が記憶されている保険データベース５８を参照し得る。
【０１５４】
保険料算定結果送信工程Ｓ１２８では、保険管理装置１４は検査管理装置１２へ保険料算定結果を送信する。保険料算定結果受信工程Ｓ１３０では、検査管理装置１２は保険管理装置１４から送信された保険料算定結果を受信する。保険料算定結果受信工程Ｓ１３０は、図５に示した保険料算定結果取得工程Ｓ２０に相当する。
【０１５５】
保険提案作成工程Ｓ１３２では、検査管理装置１２は保険管理装置１４から送信された保険料算定結果に基づいて保険提案を作成する。保険提案作成工程Ｓ１３２は、図５に示した保険提案作成工程Ｓ２２に相当する。
【０１５６】
保険提案送信工程Ｓ１３４では、検査管理装置１２は受診者端末装置１８へ保険提案を送信する。保険提案送信工程Ｓ１３４は、図５に示した保険提案送信工程Ｓ２４に相当する。
【０１５７】
保険提案受信工程Ｓ１３６では、受診者端末装置１８は検査管理装置１２から送信された保険提案を受信する。保険加入判定工程Ｓ１３８では、受診者が保険加入を希望しない場合はＮｏ判定となる。Ｎｏ判定の場合、非加入情報送信工程Ｓ１３９へ進む。非加入情報送信工程Ｓ１３９では、受診者端末装置１８から検査管理装置１２へ、受診者が保険加入を希望しないことを表す非加入情報を送信する。
【０１５８】
なお、受診者が検査結果を受信する検査結果受信工程Ｓ１１８と保険提案を受診する保険提案受信工程Ｓ１３６とは、同時に実行されるようにタイミングを合わせてもよい。すなわち、受診者端末装置１８は、検査結果、及び保険提案を同時に受信してもよい。ここでいう同時は、受信タイミングのばらつき、及び通信期間のばらつき等の誤差に起因するタイミングの差が発生する実質的な同時が含まれ得る。
【０１５９】
非加入情報受信工程Ｓ１４０では、検査管理装置１２は受診者端末装置１８から送信された非加入情報を受信する。非加入情報受信工程Ｓ１４０の後に、検査管理装置１２は検体検査管理システム１０における検査管理方法を終了する。
【０１６０】
一方、保険加入判定工程Ｓ１３８では、受診者が保険加入を希望する場合はＹｅｓ判定となる。Ｙｅｓ判定の場合、保険申込送信工程Ｓ１４１へ進む。保険申込送信工程Ｓ１４１では、受診者端末装置１８から検査管理装置１２へ保険申込が送信される。
【０１６１】
保険申込受信工程Ｓ１４２では、検査管理装置１２は受診者端末装置１８から送信された保険申込を受信する。非加入情報受信工程Ｓ１４０、及び保険申込受信工程Ｓ１４２は、図５に示した保険申込判定工程Ｓ２６に含まれる。
【０１６２】
保険申込送信工程Ｓ１４４では、検査管理装置１２から保険管理装置１４へ受診者の保険申込を送信する。保険申込送信工程Ｓ１４４は、図５に示した保険申込受付工程Ｓ２８に相当する。
【０１６３】
保険申込受信工程Ｓ１４６では、保険管理装置１４は検査管理装置１２から送信された受診者の保険申込を受信する。加入手続工程Ｓ１４８では、保険管理装置１４は受診者の保険申込に基づいて、受診者の保険加入手続きを実施する。保険加入手続きにおいて、保険管理装置１４と受診者端末装置１８との間において、加入手続きに必要な情報の送受信が実行されてもよい。
【０１６４】
保険管理装置１４が受診者の保険加入手続きが完了した場合に、完了連絡送信工程Ｓ１５０では、保険管理装置１４は検査管理装置１２へ保険加入手続きが完了したことを表す完了連絡を送信する。
【０１６５】
完了連絡受信工程Ｓ１５２では、検査管理装置１２は保険管理装置１４から送信された完了連絡を受信する。完了連絡送信工程Ｓ１５４では、検査管理装置１２は完了連絡を受診者端末装置１８へ送信する。完了連絡送信工程Ｓ１５４は、図５に示した完了連絡送信工程Ｓ３０に相当する。完了連絡送信工程Ｓ１５４の後に、検査管理装置１２は検体検査管理システム１０における検査管理方法を終了する。
【０１６６】
完了連絡受信工程Ｓ１５６では、受診者端末装置１８は検査管理装置１２から送信された完了連絡を受信する。
【０１６７】
［受診者端末装置の画面表示］
次に、受診者端末に具備される表示部を用いて表示される画面表示について説明する。なお、以下に説明する画面表示は一例であり、構成要素の変更、追加、及び削除が可能である。
【０１６８】
〔検査結果画面の構成例〕
図７は検査結果画面の一例を示す説明図である。図７に示した検査結果画面１２０は、検査管理装置１２から受診者端末装置１８へ送信される検査結果に基づいて生成される。検査結果画面１２０は、図６に示した検査結果受信工程Ｓ１１８の後に、受診者端末装置１８に具備される表示部を用いて表示し得る。
【０１６９】
図７に示した検査結果画面１２０は、申請者情報１０２、検査日情報１２２、検査キット情報１２４、及び検査結果一覧１２６が含まれる。
【０１７０】
検査日情報１２２は、受診者が検体を採取した検体採取日でもよいし、検査機関が検体を解析した検体解析日でもよい。検査結果画面１２０は検体採取日、及び検体解析日の少なくともいずれかを表示してもよい。
【０１７１】
検査キット情報１２４は、受診者に送付された検体キットを特定する情報である。図７に示した検査キット情報１２４は、検体検査キットのシリアル番号である。検査キット情報１２４は、検体検査キットの管理番号、及び検体検査キットの生産ロット番号等を適用してもよい。なお、図７に図示したアルファベットは、任意の数値、又は任意のアルファベットを表す。図８、図９、図１４、及び図１５についても同様である。
【０１７２】
検査結果一覧１２６は、検体検査項目ごとの項目値が表示される。図７に示した検査結果一覧１２６は、一覧表形式である。検査結果一覧１２６の形式は限定されない。例えば、グラフ形式等を適用してもよい。検査結果一覧１２６は、全ての検体検査項目を表示してもよいし、一部の検体検査項目を表示してもよい。
【０１７３】
図７に示した検査結果一覧１２６には血液検査項目として、血糖、ＨｂＡ１ｃ、ＨＤＬコレステロール、ＬＤＬコレステロール、中性脂肪、ＡＳＴ、ＡＬＴ、γ−ＧＰＴ、ＡＬＰ、ＡＬＢ、及びｅ−ＧＦＲを例示した。
【０１７４】
ＨＤＬは高比重リポタンパクを表すhigh density lipoproteinの省略語である。ＡＬＴはアラニンアミノトランスフェラーゼを表す。γ−ＧＰＴはガンマグルタミルトランスペプチダーゼを表す。ＡＬＢはアルブミンを表す。
【０１７５】
検体が尿の場合の検査項目の例として、尿タンパク、尿潜血、及びウロビリノーゲン等が挙げられる。検体が便の場合の検査項目の例として、赤痢菌、サルモネラ、及び腸管出血性大腸菌が挙げられる。サルモネラは、パラチフスＡ菌、及びチフス菌の少なくともいずれかを含み得る。腸管出血性大腸菌は、Ｏ１５７、Ｏ１１１、及びＯ２６の少なくともいずれかを含み得る。
【０１７６】
また、検査結果には、各検査項目の基準範囲を付加してもよいし、各検査項目の基準範囲に対して検査結果が基準範囲内であるか、又は検査結果が基準範囲を超えているかのコメントを付加してもよい。各検査項目の基準範囲に対して検査結果が基準範囲を超えている場合の改善を促す表示を付加してもよい。改善の例としてダイエット等が挙げられる。
【０１７７】
〔保険提案画面の構成例〕
図８は保険提案画面の一例を示す説明図である。図８に示した保険提案画面１４０は、図６に示した保険提案受信工程Ｓ１３６において受信した保険提案に基づいて、受診者端末装置１８に具備される表示部を用いて表示し得る。
【０１７８】
保険提案画面１４０は、申請者情報１０２、健康度情報１４２、保険料情報１４４、及び保険申込選択ボタン１４６が含まれる。図８に示した健康度情報１４２は、健康度として健康状態年齢から実年齢を減算した年齢差が適用される。健康度情報１４２は、Ａを最高ランクとしＥを最低ランクとする、ＡからＥを用いた五段階で健康度のランクを表してもよい。
【０１７９】
保険料情報１４４は、受診者の健康度に基づいて算定された保険料の情報を表す。図８に示した保険料情報１４４は、健康度を考慮せず実年齢から算定された基本保険料からの割引率を表している。受診者の健康度に基づいて算定された保険料を保険料情報１４４として表示してもよい。保険料情報１４４は保険情報の構成要素である。
【０１８０】
保険申込選択ボタン１４６は、保険を申し込むか否かを選択する際に使用されるボタンである。保険申込選択ボタン１４６は、する、又はしない、のいずれかを選択し得る。選択情報は、受診者端末装置１８から検査管理装置１２へ送信される。
【０１８１】
〔申込完了画面の構成例〕
図９は申込完了画面の一例を示す説明図である。図９に示した申込完了画面１６０は、図６に示した完了連絡送信工程Ｓ１５４において検査管理装置１２から受診者端末装置１８へ送信された完了連絡に基づいて、受診者端末装置１８に具備される表示部を用いて表示し得る。
【０１８２】
申込完了画面１６０は、申請者情報１０２、申込完了情報１６２、及びオーケーボタン１６４が含まれる。図９に示した申込完了情報１６２は、保険の申し込みが受け付けられたことを表す文字情報が適用される。
【０１８３】
オーケーボタン１６４は、受診者が申込完了画面１６０を閉じる際に操作されるボタンである。オーケーボタン１６４がクリックされた場合に、申込完了画面１６０が閉じられる。
【０１８４】
［第一実施形態の作用効果］
上記の如く構成された第一実施形態に係る検体検査管理装置、システム、及び方法によれば、以下の作用効果を得ることが可能である。
【０１８５】
〔１〕
受診者の保険加入に関連する健康状態を表す健康度に基づく保険料を取得する。これにより、受診者の健康意識に対応した保険料の提案に対応し得る。
【０１８６】
〔２〕
受診者端末装置１８は、検体検査を受診した際に検体検査結果に応じた保険料が算定された保険提案を取得する。これにより、保険加入の際に検査を行う場合、検査結果が良好でなく保険料減額のメリットが得られず、検査の機会が無駄になることを回避し得る。
【０１８７】
〔３〕
検査管理装置１２が検査結果を記憶し、かつ検査結果に基づいて算定された保険料と検査結果とを関連付けして記憶する。これにより、検査結果と保険料とが確実に関連付けされる。検査結果を自己申告して保険の申し込みを行う場合、検査の時期、及び検査の方法等が把握し難いことがあり、保険加入希望者の正確な実態を保険料に反映させることが困難であった。
【０１８８】
〔４〕
検査機関等から送付される検体検査キットを用いて、受診者が検体を採取する。受診者は採取した検体を検査機関へ送付する。これにより、受診者が病院、及び検査機関等へ出向かずに検体検査を実施し得る。
【０１８９】
［ネットワークシステムへの適用例］
図１０はネットワークシステムが適用される検体検査管理システムの構成例を示すブロック図である。図１０に示した検体検査管理システム１０Ａは、ネットワーク２２を介して検査管理装置１２、保険管理装置１４、検査機関端末装置１６、受診者端末装置１８、保険管理端末装置２０、検査データベース３８、及び保険データベース５８が通信可能に接続される。
【０１９０】
図１０では、複数のネットワーク２２を図示したが、図１０に示した複数のネットワーク２２は、図１に示したネットワーク２２を表している。図１０に示した検体検査管理システム１０Ａの構成要素は、図１に示した検体検査管理システム１０の構成要素と同様である。ここでは、検体検査管理システム１０Ａの構成要素ごとの説明は省略する。
【０１９１】
検体検査管理システム１０Ａは分散型ネットワークシステムが適用され、検体検査管理システム１０Ａの各構成要素は、ネットワーク２２を介して通信可能に接続される。
【０１９２】
これにより、検査管理装置１２、保険管理端末装置２０、及び検査データベース３８の分散配置が可能となる。同様に、保険管理装置１４、保険管理端末装置２０、及び保険データベース５８の分散配置が可能となる。
【０１９３】
例えば、検査機関が日本に所在し、検査機関端末装置１６が日本国に配置され、かつ検査管理装置１２、及び検査データベース３８が外国等に配置されてもよい。外国等は、日本国以外の国、又は地域を表す。
【０１９４】
［検体検査管理システムの変形例］
図１１は変形例に係る検体検査管理システムの構成例を示すブロック図である。図１１に示した検体検査管理システム１０Ｂは、図１に示した検査管理装置１２と保険管理装置１４とが統合された検査保険管理統合装置１１を備える。
【０１９５】
検査保険管理統合装置１１は、ネットワーク２２を介して保険加入者端末装置１９と通信可能に接続される。保険加入者端末装置１９は保険加入者が使用する端末装置である。
【０１９６】
検査保険管理統合装置１１は、検査管理部１２Ｂ、及び保険管理部１４Ｂを備える。検査管理部１２Ｂは図１に示した検査管理装置１２と同様の構成、及び同様の機能を有している。保険管理部１４Ｂは図１に示した保険管理装置１４と同様の構成、及び同様の機能を有している。
【０１９７】
図１１には、検査管理部１２Ｂが検査データベース３８を備え、かつ保険管理部１４Ｂが保険データベース５８を備える態様を例示したが、検査データベース３８、及び保険データベース５８は、検査保険管理統合装置１１の外部に配置されてもよい。また、検査データベース３８、及び保険データベース５８を統合した統合データベースを備えてもよい。
【０１９８】
［第二実施形態に係る検体検査管理方法の手順］
図１２は第二実施形態に係る検体検査管理方法の手順の流れを示すフローチャートである。第二実施形態に係る検体検査管理方法は、既に保険に加入している保険加入者が保険を継続する際に、検体検査を実施する場合に適用される。
【０１９９】
なお、第二実施形態に係る検体検査管理方法は、第一実施形態に係る検体検査管理システム１０と同様の構成を適用し得る。ここでは、第二実施形態に係る検体検査管理システムの図示、及び説明を省略する。
【０２００】
第二実施形態に係る検体検査管理方法は、図５にフローチャートを示した第一実施形態に係る検体検査管理方法に対して、図１２に示した保険料増減判定工程Ｓ２００、再検査要否送信工程Ｓ２０２、及び再検査依頼受信判定工程Ｓ２０４が追加される。
【０２０１】
図１２に示すように、保険料算定結果取得工程Ｓ２０の後に、保険料増減判定工程Ｓ２００へ進む。保険料増減判定工程Ｓ２００では、図３に示した検査解析部３４は、継続後の保険の保険料が、現在の保険の保険料以上に増額されるか否かを判定する。
【０２０２】
保険料増減判定工程Ｓ２００において、検査解析部３４が、保険料が減額されるか、又は同額になると判定した場合はＮｏ判定となる。Ｎｏ判定の場合は、保険提案作成工程Ｓ２２へ進む。
【０２０３】
一方、保険料増減判定工程Ｓ２００において、検査解析部３４が、保険料が増額されると判定した場合はＹｅｓ判定となる。Ｙｅｓ判定の場合は、再検査要否送信工程Ｓ２０２へ進む。
【０２０４】
再検査要否送信工程Ｓ２０２では、検査解析部３４は、検査情報出力部３２を介して受診者端末装置１８へ、再検査の要否を確認する要否確認情報を送信する。再検査要否送信工程Ｓ２０２の後に、再検査依頼受信判定工程Ｓ２０４へ進む。
【０２０５】
再検査依頼受信判定工程Ｓ２０４では、再検査の要否を表す要否情報を受信したか否かを判定する。再検査依頼受信判定工程Ｓ２０４において、要否情報を受信しない場合、又は再検査が不要であることを表す要否情報を受信した場合はＮｏ判定となる。Ｎｏ判定の場合は、保険提案作成工程Ｓ２２へ進む。
【０２０６】
一方、再検査依頼受信判定工程Ｓ２０４において、再検査が必要であることを表す要否情報を受信した場合はＹｅｓ判定となる。Ｙｅｓ判定の場合は、図５に示した検査受付工程Ｓ１０へ進む。
【０２０７】
第二実施形態に係る検査管理方法において、再検査の回数を制限してもよい。例えば、保険料増減判定工程Ｓ２００の後に、再検査の回数が規定回数以下であるか否かを判定する再検査回数判定工程を追加し得る。
【０２０８】
再検査の回数が規定回数を超える場合は、警告工程を実行し得る。警告工程では、検査解析部３４は、再検査の回数が規定回数を超えていることを表す警告を受診者端末装置１８へ送信し得る。警告工程の後に、保険提案作成工程Ｓ２２へ進み得る。一方、再検査の回数が規定回数以下の場合は、検査受付工程Ｓ１０へ進み得る。
【０２０９】
図１３は第二実施形態に係る検体検査管理方法における検体検査管理システムの構成要素間の情報の流れ、及び血液検査キットの流れを示すフローチャートである。まず、満期連絡送信工程Ｓ２２０において、保険管理装置１４から受診者端末装置１８へ、満期連絡が送信される。満期連絡は、保険契約の継続手続が可能な保険契約継続手続可能期間中に保険管理装置１４から受診者端末装置１８へ送信される。
【０２１０】
満期連絡は、険契約継続手続可能期間中である保険満期の日から規定の期間を経過する前に、保険管理装置１４から受診者端末装置１８へ送信される。受診者端末装置１８の表示部は、満期連絡を表示してもよい。例えば、規定の期間は二カ月としてもよい。満期連絡は、遅くとも保険満期の日の一か月前の日としてもよい。
【０２１１】
なお、満期連絡は、保険契約の継続意思を確認する意思確認情報の一例に相当する。検査管理装置１２の保険情報出力部３２Ｂは、意思確認情報を対象者端末装置へ出力する意思確認情報出力部の一例に相当する。
【０２１２】
満期連絡送信工程Ｓ２２０に代わり、検査管理装置１２から受診者端末装置１８へ満期連絡を送信する満期連絡送信工程Ｓ２２１を実行してもよい。
【０２１３】
満期連絡受信工程Ｓ２２２では、受診者端末装置１８は保険管理装置１４から送信された満期連絡を受信する。
【０２１４】
継続希望情報送信工程Ｓ２２４では、保険加入者は保険継続を希望する場合に、受診者端末装置１８から検査管理装置１２へ保険継続を希望することを表す継続希望情報を送信する。保険加入者は、受診者端末装置１８から保険管理装置１４へ継続希望情報を送信し、保険管理装置１４は検査管理装置１２へ継続希望情報を転送してもよい。
【０２１５】
継続希望情報受信工程Ｓ２２６では、検査管理装置１２は受診者端末装置１８から送信された継続希望情報を受信する。継続希望情報は、検体検査対象者の保険契約の継続意思を表す意思情報の一例に相当する。検査管理装置１２の保険情報入力部３０Ｂは、意思情報を取得する意思情報取得部の一例に相当する。継続希望情報受信工程Ｓ２２６では、検査管理装置１２から保険管理装置１４へ継続希望情報を転送してもよい。
【０２１６】
登録工程Ｓ２２８では、検査管理装置１２は検査データベース３８を参照して、継続希望情報を登録する。登録工程Ｓ２２８の後に、キット送付工程Ｓ１０６から保険提案受信工程Ｓ１３６までの各工程が実行される。
【０２１７】
キット送付工程Ｓ１０６から保険提案受信工程Ｓ１３６までの各工程は、図６と同様である。ここでの説明は省略する。但し、保険料算定結果受信工程Ｓ１３０と保険提案作成工程Ｓ１３２との間に、図１２に示した保険料増減判定工程Ｓ２００から再検査依頼受信判定工程Ｓ２０４が実行される。
【０２１８】
保険提案受信工程Ｓ１３６の後に、保険継続判定工程Ｓ２３０へ進む。保険継続判定工程Ｓ２３０では、保険加入者が保険継続を希望しない場合はＮｏ判定となる。Ｎｏ判定の場合、非継続情報送信工程Ｓ２３２へ進む。非継続情報送信工程Ｓ２３２では、受診者端末装置１８から検査管理装置１２へ、保険加入者が保険継続を希望しないことを表す非継続情報を送信する。
【０２１９】
非継続情報受信工程Ｓ２３４では、検査管理装置１２は受診者端末装置１８から送信された非継続情報を受信する。非継続情報受信工程Ｓ２３４の後に、検査管理装置１２は検体検査管理システム１０における検査管理方法を終了する。
【０２２０】
一方、保険継続判定工程Ｓ２３０では、受診者が保険継続を希望する場合はＹｅｓ判定となる。Ｙｅｓ判定の場合、継続申込送信工程Ｓ２３６へ進む。継続申込送信工程Ｓ２３６では、受診者端末装置１８から検査管理装置１２へ継続申込が送信される。
【０２２１】
保険継続受信工程Ｓ２３８では、検査管理装置１２は受診者端末装置１８から送信された継続申込を受信する。保険継続送信工程Ｓ２４０では、検査管理装置１２は保険管理装置１４へ継続申込を送信する。
【０２２２】
保険継続受診工程Ｓ２４２では、保険管理装置１４は検査管理装置１２から送信された継続申込を受信する。
【０２２３】
継続手続工程Ｓ２４４では、保険管理装置１４は保険加入者の継続申し込みに基づいて、保険加入者の継続手続を実施する。継続手続工程Ｓ２４４の後に、完了連絡送信工程Ｓ１５０へ進む。以降、完了連絡送信工程Ｓ１５０から完了連絡受信工程Ｓ１５６までの各工程が実行される。完了連絡送信工程Ｓ１５０から完了連絡受信工程Ｓ１５６までの各工程は、図６と同様である。ここでの説明は省略する。
【０２２４】
［受診者端末装置の画面表示］
〔再検査受付を含む保険提案画面の構成例〕
図１４は再検査受付を含む保険提案画面の一例を示す説明図である。図１４に示した保険提案画面２００は、図１３に示した保険提案受信工程Ｓ１３６において受信した保険提案に基づいて、受診者端末装置１８に具備される表示部を用いて表示し得る。
【０２２５】
保険提案画面２００は、図８に示した保険申込選択ボタン１４６に代わり、再検査を希望するか否かを選択する再検査希望選択ボタン２０６を含む。図１４に示した健康度情報１４２は、健康状態年齢が実年齢に対してプラス５才であることを表す。また、保険料情報１４４は、保険料が１０パーセント増額されることを表す。
【０２２６】
再検査希望選択ボタン２０６は、再検査を希望か否かを選択する際に使用されるボタンである。再検査希望選択ボタン２０６は、する、又はしない、のいずれかを選択し得る。選択情報は、受診者端末装置１８から検査管理装置１２へ送信される。
【０２２７】
〔再検査受付完了画面の構成例〕
図１５は再検査受付完了画面の一例を示す説明図である。図１５に示した再検査受付完了画面２２０は、図１３に示した完了連絡送信工程Ｓ１５４において検査管理装置１２から受診者端末装置１８へ送信された再検査の完了連絡に基づいて、受診者端末装置１８に具備される表示部を用いて表示し得る。
【０２２８】
再検査受付完了画面２２０は、申請者情報１０２、再検査申込完了情報２２２、及びオーケーボタン２２４が含まれる。図１５に示した再検査申込完了情報２２２は、再検査の申し込みが受け付けられたことを表す文字情報が適用される。
【０２２９】
オーケーボタン２２４は、受診者が再検査受付完了画面２２０を閉じる際に操作されるボタンである。オーケーボタン２２４がクリックされた場合に、再検査受付完了画面２２０が閉じられる。
【０２３０】
［第二実施形態の応用例］
〔保険条件の見直しの例〕
継続後の保険の保険料が、契約中の保険の保険料以上に増額される場合に、保険条件の見直しを提案する。これにより、保険料の増額を回避し得る。保険条件の見直しは、保険期間の短縮、及び保障短縮の少なくともいずれかが含まれる。
【０２３１】
図１６は第二実施形態の応用例に係る検体検査管理方法の流れを示すフローチャートである。第二実施形態の応用例に係る検体検査管理方法では、保険料増減判定工程Ｓ２００のＹｅｓ判定の場合に、保険条件見直し要否送信工程Ｓ２１０へ進む。
【０２３２】
保険条件見直し要否送信工程Ｓ２１０では、検査解析部３４は受診者端末装置１８へ、現在の保険の保険料に対して増額されることを表す増額情報、及び保険条件の見直しを行うか否か表す選択情報の送信を依頼する選択情報送信依頼を送信する。保険条件見直し要否送信工程Ｓ２１０の後に、見直し依頼受信判定工程Ｓ２１２へ進む。
【０２３３】
見直し依頼受信判定工程Ｓ２１２では、検査解析部３４は、受診者端末装置１８から送信された選択情報が、保険条件を見直すことを表しているか、又は保険条件を見直さないことを表しているかを判定する。見直し依頼受信判定工程Ｓ２１２において、検査解析部３４が保険条件を見直さないことを表す選択情報を受信したと判定した場合はＮｏ判定となる。Ｎｏ判定の場合は保険提案作成工程Ｓ２２へ進む。保険提案作成工程Ｓ２２では、検査管理装置１２は、保険条件が維持された保険提案を作成する。
【０２３４】
一方、見直し依頼受信判定工程Ｓ２１２において、検査管理装置１２が保険条件を見直すことを表す選択情報を受信したと判定した場合はＹｅｓ判定となる。Ｙｅｓ判定の場合は保険条件見直し工程Ｓ２１４へ進む。
【０２３５】
保険条件見直し工程Ｓ２１４では、検査管理装置１２から保険管理装置１４へ保険条件を見直した場合の保険料算定依頼を送信する。すなわち、保険条件見直し工程Ｓ２１４では、保険料を増額しない保険条件が存在するか否かを検査管理装置１２から保険管理装置１４へ問い合わせる。
【０２３６】
保険管理装置１４は、保険料を増額しない保険条件が存在しない場合に、その旨を表す情報を検査管理装置１２へ送信する。一方、保険管理装置１４は、保険料を増額しない保険条件が存在する場合に、保険料を増額しない保険条件、及び保険料を検査管理装置１２へ送信する。保険条件見直し工程Ｓ２１４の後に、保険提案作成工程Ｓ２２へ進む。
【０２３７】
保険提案作成工程Ｓ２２では、検査管理装置１２は、保険管理装置１４から送信された情報に基づいて保険提案を作成する。
【０２３８】
〔保険条件見直選択を含む保険提案画面の構成例〕
図１７は保険条件見直選択を含む保険提案画面の一例を示す説明図である。図１７に示した保険提案画面２４０は、健康度情報１４２、保険料情報１４４、及び保険条件見直し選択ボタン２４６、及び条件選択ボタン２４８が含まれる。
【０２３９】
図１７に示した健康度情報１４２、及び保険料情報１４４は、図１４と同様である。ここでの説明は省略する。
【０２４０】
保険条件見直し選択ボタン２４６は、する、又はしない、のいずれかを選択し得る。選択情報は、受診者端末装置１８から検査管理装置１２へ送信される。
【０２４１】
条件選択ボタン２４８は、期間短縮、又は保障縮小のいずれかを選択し得る。選択情報は、受診者端末装置１８から検査管理装置１２へ送信される。
【０２４２】
〔保険条件見直受付完了画面の構成例〕
図１８は保険条件見直受付完了画面の一例を示す説明図である。図１８に示した保険条件見直受付完了画面２６０は、検査管理装置１２から受診者端末装置１８へ送信された完了連絡に基づいて、受診者端末装置１８に具備される表示部を用いて表示し得る。
【０２４３】
保険条件見直受付完了画面２６０は、保障の見直しを行うことを表す申込完了情報２６２として、保障の見直しを受け付けたことを表す文字情報が適用される。
【０２４４】
オーケーボタン２６４は、受診者が保険条件見直受付完了画面２６０を閉じる際に操作されるボタンである。オーケーボタン２６４がクリックされた場合に、保険条件見直受付完了画面２６０が閉じられる。
【０２４５】
保険条件の見直しの例として、保険期間の短縮が挙げられる。例えば、現在の保険期間が一年の場合、継続後の保険期間を半年に短縮し、かつ継続後の保険の保険期間満了の際に、検体検査を実施する。保険条件の見直しの他の例として、保障の縮小が挙げられる。例えば、生命保険において、保険金額の減額、医療保障等のオプション契約の終了等が挙げられる。
【０２４６】
［第二実施形態の作用効果］
上記の如く構成された第二実施形態に係る検体検査管理装置、システム、及び方法によれば、以下の作用効果を得ることが可能である。
【０２４７】
〔１〕
保険継続の際に検体検査を実施する。検体検査結果に基づく健康度を用いて算定された保険料が、現在の保険料に対して増額される場合に、再検査の実施を選択し得る。これにより、検体検査のタイミングが悪かった場合に再検査を実施し得る。
【０２４８】
〔２〕
再検査の結果に応じて健康度が算出される。これにより、再検査の結果が良好な場合に保険料の増額を回避し得る。
【０２４９】
〔３〕
継続後の保険の保険料が現在の保険料に対して増額される場合に、保険条件の見直しを選択し得る。これにより、継続後の保険の保険料が現在の保険料に対して増額されることを回避し得る。
【０２５０】
［本人認証情報の適用例］
図１に示した検査管理装置１２は、検体検査対象者における本人認証情報と検体検査の結果を関連付けして、検査データベース３８へ記憶することが可能である。本人認証情報とは、検査データベース３８に記憶された検体検査の結果が、検体検査対象者本人のものであることを証明する情報である。
【０２５１】
すなわち、検査管理装置１２は、図示しない本人認証情報取得部を備える。検査解析部３４は、本人認証情報取得部を用いて取得した検体検査対象者ごとの本人認証情報と、検体検査の結果の情報とを関連付けする。本人認証情報が関連付けされた検体検査の結果は、検査データベース３８へ記憶される。
【０２５２】
本人認証は、公知の方式を適用し得る。公知の本人認証の例として、予め登録されている本人情報と、受診者端末装置１８から送信された本人情報とを照合する方式が挙げられる。
【０２５３】
受診者端末装置１８から送信された本人情報の例として、カメラ等の撮像装置を用いて本人、及び身分証明書等を撮像して得られた撮像データが挙げられる。カメラは、受診者端末装置１８に備えられるカメラを適用し得る。カメラは、受診者端末装置１８と接続されるカメラを適用し得る。カメラは、静止画撮像、及び動画撮像のいずれかの機能を有していればよい。身分証明書は、予め発行されている検体検査管理システム１０用の身分証明書を適用してもよい。運転免許証、及びパスポート等の既存の身分証明書を適用してもよい。
【０２５４】
本人認証情報が付加された本人認証済みの検体検査の結果は、保険加入、及び保険更新等の際の許諾の有無を判断する契約査定情報としての利用が可能となる。また、測定者自身が操作をする簡易型血圧測定器を用いた血圧測定値などの医療用測定器を用いた医療測定値を得た場合に、保険加入、及び保険更新等の際の許諾の有無を判断する際に、医療測定値の利用が可能となる。
【０２５５】
すなわち、検査管理装置１２は、図示しない医療測定値取得部を備える。検査解析部３４は、医療測定値取得部を用いて取得した検体検査対象者ごとの医療測定値取得部と、検体検査の結果情報とを関連付けする。医療測定値取得部が関連付けされた検体検査の結果は、検査データベース３８へ記憶される。
【０２５６】
［検体検査キットの具体例］
〔血液検査キット〕
図１９は血液検査キットの構成図である。図１９に示した血液検査キット５００は、人間の血液を検体として採取可能な検体検査キットである。図１９に示した血液検査キット５００は、密閉キャップ５０２、シリンダ５０４、吸引器５０６、ランセット５０８、及び希釈緩衝液入りのボトル５１０を備える。
【０２５７】
密閉キャップ５０２、シリンダ５０４、吸引器５０６、ランセット５０８、及びボトル５１０は、ケース５１４に収納される。血液検査キット５００は、図示しない絆創膏、及び消毒布を備えてもよい。
【０２５８】
〔血液検査キットを用いた採血の手順〕
血液検査キット５００を用いた採血は以下の手順が適用される。まず、ランセット５０８を用いて指の腹から出血させ、吸引器５０６の先端の吸収体５１２の全体に、指の腹の血液を吸い込ませる。吸収体５１２は中綿を適用し得る。次に、希釈緩衝液入りのボトル５１０に吸引器５０６を差し込み、ボトル５１０の中の希釈緩衝液に吸収体５１２を落とす。このようにして、吸収体５１２の血液を希釈緩衝液に分散させる。
【０２５９】
次に、シリンダ５０４をボトル５１０に差し込み、シリンダ５０４をボトル５１０の底の方へ押し込み、分離フィルタを用いて、希釈緩衝液に分散された血液中の血球と血漿とを分離させる。この状態でボトル５１０に密閉キャップ５０２を取り付ける。密閉キャップ５０２が取り付けられたボトル５１０は、専用の梱包材を用いて梱包され、血液検査機関へ送付される。
【０２６０】
［血液検査キットを用いた採血の作用効果］
以上説明した血液検査キット５００を用いた採血によれば、以下の作用効果を得ることが可能である。
【０２６１】
〔１〕
自宅等の医療機関以外で採血を実施可能である。
【０２６２】
〔２〕
血液検査キットが検体検査計画に規定された検査日に送付されるので、採血の忘れ、及び採血日の間違い等を抑制し得る。
【０２６３】
〔３〕
採血量が０．１ミリリットル以下と微小量である。
【０２６４】
［人間以外の動物への検体検査計画管理の適用例］
〔課題の説明〕
ペットを飼うペットの飼い主は年々増加している。飼い主はペットを家族の一員として考え、ペットの健康管理に人間と同様の気遣いをする飼い主が増加している。現状はペットの公的な医療保障制度がなく、飼い主が任意のペット保険に加入してペットの医療費を軽減している。ペットの健康管理が高まっているものの、ペットの健康度に応じた健康保険の保険料設定には十分対応できていない。かかる課題は、個人が飼育するペット以外にも、動物園において飼育される動物等、人間以外の動物についても同様である。
【０２６５】
〔人間以外の動物を対象とする検体検査管理システム等の構成例〕
図１から図１９を用いて説明した検体検査管理システム１０、検体検査管理システム１０Ａ、及び検体検査管理システム１０Ｂは、医師を獣医に読み替え、病院を動物病院に読み替え、受診者を飼い主に読み替えることで、人間以外の動物に適用し得る。なお、獣医は医師の一例に相当する。
【０２６６】
人間以外の動物は、動物園において飼育される動物、牧場等の畜産業者が飼育する鶏、豚、牛、及び馬等の動物、並びに競走馬等が含まれてもよい。飼い主は、飼育員、畜産管理者など、動物の健康を管理する者が含まれてもよい。
【０２６７】
人間以外の動物の例として、犬、猫、豚、馬、牛、ハムスター、モルモット、ウサギ、リス、及びフェレット等の哺乳類、鳥類、並びに蛇、及びとかげ等の爬虫類等が挙げられる。人間以外の動物の検体の例として、血液、尿、便、唾液、粘膜、及び体毛等が挙げられる。検体が尿の場合の検体検査項目の例として、尿ペーハー、尿タンパク、尿潜血、尿比重、尿糖、アセスミン、アルデヒド、ケトン体、及びクレアチニン等が挙げられる。
【０２６８】
本実施形態では、検体検査管理システムについて説明したが、先に説明した人間を対象とする検体検査管理システムと同様に、検体検査管理装置、検体検査管理方法、及びプログラムを構成し得る。
【０２６９】
［人間以外の動物を対象とする検体検査管理システムの作用効果］
上記の如く構成された検体検査管理システムによれば、人間の場合と同様の作用効果を得ることが可能である。
【０２７０】
［健康度導出の応用例］
上記の実施形態では、検体検査結果である検体検査情報に基づいて健康度を導出する態様を例示したが、健康度の導出は検体検査情報の他に以下に列挙する検体検査対象者に関連する検体検査対象者情報に基づいてもよい。
【０２７１】
例えば、検査対象者の年齢、性別、身長、体重、腹囲、ＢＭＩ、体脂肪率、内臓脂肪率、体温、心拍数、血圧、筋肉量及び骨密度等の数値として表される身体計測情報に基づいて健康度を導出し得る。
【０２７２】
数値として表される身体情報の他の例として、検査対象者の一日あたりの摂取カロリー、栄養素の接種率、活動量計を用いて計測した活動量、一日あたりの摂取塩分量、身体バランス及びフレイル判定等が挙げられる。数値自体に基づいて健康度を導出してもよいし、数値の経時変化に基づいて健康度を導出してもよい。
【０２７３】
数値として表されない身体情報に基づいて健康度を導出してもよい。数値として表されない身体情報の例として、身体状況に関する問診及び身体状況に関する質問等が挙げられる。
【０２７４】
また、飲酒の有無及び喫煙の有無等を含む、検査対象者の嗜好に関する嗜好情報に基づいて健康度を算出してもよい。数値として表される身体情報、数値として表されない身体情報及び嗜好情報を適宜組み合わせた複数の情報に基づいて健康度を導出してもよい。
【０２７５】
すなわち、図１に示す検査管理装置１２は、検体検査対象者情報取得部を備える。検査解析部３４は、検体検査対象者情報取得部を用いて取得した検体検査対象者情報及び検体検査結果の少なくともいずれかを解析して、健康度を導出する。
【０２７６】
［健康度の導出に適用される検査結果の他の例］
検体が、唾液、血液、細胞及び尿など、ＤＮＡ（deoxyribonucleic acid）、ＲＮＡ（ribonucleic acid）及びマイクロＲＮＡ等、いわゆる遺伝子及びエクソソームを含む場合、ＳＮＰｓ解析、疾患関連遺伝子検査、リキッドバイオプシー検査及びエクソソーム検査等の検査結果を用いて健康度を導出し得る。
【０２７７】
また、検体が、便、唾液及び粘膜等の場合、腸内細菌叢などの細菌叢検査の結果を用いて健康度を導出し得る。
【０２７８】
検査結果の解析は一つの検査項目を適用してもよいし、二以上の検査項目を組み合わせて適用してもよい。更に、上記した健康度の導出に適用される情報を検査結果と組み合わせて、解析を実施してもよい。
【０２７９】
［本人認証情報取得の応用例］
本人認証情報取得は、撮像装置を用いて本人等を撮像して得られた撮像データを取得する態様の他、以下の態様を適用し得る。例えば、テレビ電話及びウェブ会議システム等を用いて検体採取の映像を取得する態様を適用し得る。
【０２８０】
また、保険会社のスタッフ等が検体採取を撮影して動画像又は静止画像を取得する態様、薬局店頭及び保険ショップ店頭等における本人確認実施の記録を取得する態様を適用し得る。更に、検体採取の後に専用台紙へ押捺した指紋を保存し、保険金及び給付金等の支払事由が発生した際に指紋鑑定を実施する態様を適用し得る。指紋保存に基づく指紋鑑定に代わり、又はこれと併用して、血液等の体液保存に基づくＤＮＡ鑑定を適用し得る。
【０２８１】
本人認証は、事前に確認済みのＩＤ（identification）及びパスワード等を用いた知識認証を適用し得る。本人認証は、運転免許証及びパスポート等の公文書を用いた所有物認証を適用し得る。所有物認証は、ＩＣカード、磁気カード及び光学データを適用し得る。本人認証は、事前に確認済みの指紋、静脈パターン及び顔などを用いた生体認証を適用し得る。本人認証は、上記の知識認証等と適宜組み合わせて実施してもよい。
【０２８２】
［コンピュータを検体検査管理装置として機能させるプログラムへの適用例］
上述した検体検査管理装置、及び方法は、コンピュータを用いて、検体検査管理装置における各部に対応する機能、及び検体検査管理方法における各工程に対応する機能を実現させるプログラムを実行させて実現し得る。例えば、コンピュータに、検査結果取得機能、健康度算出機能、保険情報取得機能、保険提案作成機能、及び保険提案出力機能を実現させる検体検査管理プログラムを構成し得る。
【０２８３】
上述した検体検査管理機能をコンピュータに実現させるプログラムを、有体物である非一時的な情報記憶媒体である、コンピュータが読取可能な情報記憶媒体に記憶し、情報記憶媒体を通じてプログラムを提供することが可能である。
【０２８４】
また、非一時的な情報記憶媒体にプログラムを記憶して提供する態様に代えて、ネットワークを介してプログラム信号を提供する態様も可能である。
【０２８５】
［実施形態及び変形例等の組み合わせについて］
上述した実施形態で説明した構成要素、及び適用例等で説明した構成要素は、適宜組み合わせて用いることができ、また、一部の構成要素を置き換えることもできる。
【０２８６】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有する者により、多くの変形が可能である。
【符号の説明】
【０２８７】
１０  検体検査管理システム
１０Ａ  検体検査管理システム
１０Ｂ  検体検査管理システム
１１  検査保険管理統合装置
１２  検査管理装置
１２Ｂ  検査管理部
１４  保険管理装置
１４Ｂ  保険管理部
１６  検査機関端末装置
１８  受診者端末装置
１９  保険加入者端末装置
２０  保険管理端末装置
２２  ネットワーク
３０  検査情報入力部
３０Ａ  検査結果入力部
３０Ｂ  保険情報入力部
３０Ｃ  検査受付情報入力部
３２  検査情報出力部
３２Ａ  検査結果出力部
３２Ｂ  保険情報出力部
３２Ｃ  送付情報出力部
３２Ｄ  健康度情報出力部
３４  検査解析部
３６  検査計画部
３８  検査データベース
４０  制御部
４２  メモリ
４４  ストレージ装置
４６  ネットワークコントローラ
４８  電源装置
４９  バス
５０  保険管理情報入力部
５２  保険管理情報出力部
５４  契約部
５６  保険料算定部
５８  保険データベース
１０２  申請者情報
１２０  検査結果画面
１２２  検査日情報
１２４  検査キット情報
１２６  検査結果一覧
１４０  保険提案画面
１４２  健康度情報
１４６  保険申込選択ボタン
１６０  申込完了画面
１６２  申込完了情報
１６４  オーケーボタン
２００  保険提案画面
２０６  再検査希望選択ボタン
２２０  再検査受付完了画面
２２２  再検査申込完了情報
２２４  オーケーボタン
２４０  保険提案画面
２４６  保険条件見直し選択ボタン
２４８  条件選択ボタン
２６０  保険条件見直受付完了画面
２６２  申込完了情報
２６４  オーケーボタン
５００  血液検査キット
５０２  密閉キャップ
５０４  シリンダ
５０６  吸引器
５０８  ランセット
５１０  ボトル
５１２  吸収体
Ｓ１０からＳ２４４  検体検査管理方法の各工程
【図１】
2019200785.tif 000003
【図２】
2019200785.tif 000004
【図３】
2019200785.tif 000005
【図４】
2019200785.tif 000006
【図５】
2019200785.tif 000007
【図６】
2019200785.tif 000008
【図７】
2019200785.tif 000009
【図８】
2019200785.tif 000010
【図９】
2019200785.tif 000011
【図１０】
2019200785.tif 000012
【図１１】
2019200785.tif 000013
【図１２】
2019200785.tif 000014
【図１３】
2019200785.tif 000015
【図１４】
2019200785.tif 000016
【図１５】
2019200785.tif 000017
【図１６】
2019200785.tif 000018
【図１７】
2019200785.tif 000019
【図１８】
2019200785.tif 000020
【図１９】
2019200785.tif 000021